(57)【特許請求の範囲】
【請求項１】
内容物およびその噴射用ガスを収容した容器本体に対する放出操作部の移動にともない、短移動のエアゾール動作と、前記噴射用ガスの圧力低下状態での上流弁および下流弁の関連動作に基づく長移動のポンプ動作とを個々に実行可能な内容物放出機構において、
前記上流弁から外部空間域への内容物噴射孔部へと続く内容物通路域と、
前記噴射用ガスの圧力に応動する形で前記内容物通路域に配設されて、前記エアゾール動作のとき開状態に設定され、かつ、前記圧力低下状態では閉状態に設定される終了弁作用部と、
前記放出操作部が操作されない静止モードのとき前記下流弁を閉状態に設定するための弾性部材と、を備え、
前記終了弁作用部は、
前記圧力低下状態で前記閉状態に設定されることにより前記内容物噴射孔部から前記外部空間域への内容物放出動作を強制終了して、利用者に前記エアゾール動作のときの前記圧力低下状態を認識させ、
前記ポンプ動作のとき、前記上流弁と前記下流弁との間の貯留空間域の内圧増加にともない開状態に設定される、
ことを特徴とする内容物放出機構。
【請求項２】
前記終了弁作用部は、
前記内容物通路域の、前記下流弁からその下流側に続く流路部分に配設されている、
ことを特徴とする請求項１記載の内容物放出機構。
【請求項３】
請求項１または２に記載の内容物放出機構を備え、かつ、前記容器本体に噴射用ガスおよび内容物を収容した、
ことを特徴とするエアゾール式製品。
【発明の詳細な説明】
【技術分野】
【０００１】
本発明は、内容物およびその噴射用ガスを収容した容器本体に対しての放出操作部の移動にともない、短移動のエアゾール動作と、噴射用ガスの圧力低下状態での上流弁および下流弁に基づく長移動のポンプ動作とを個々に実行可能な内容物放出機構に関する。
【０００２】
特に、内容物通路域に、エアゾール動作の噴射用ガスの圧力や、ポンプ動作の上流弁と下流弁との間の貯留空間域の内圧に応動する形の終了弁作用部を、備えた内容物放出機構に関する。
【０００３】
この終了弁作用部は、ミスユースなどによりエアゾール動作における噴射用ガスの圧力が低下すると、閉状態に設定されてそれまでのエアゾール動作をいわば強制終了させ、かつ、通常のエアゾール動作およびポンプ動作のときは内圧で開状態に設定される。
【０００４】
利用者は、このエアゾール動作の強制終了を認識して、その後の内容物放出機構の使用形態を、放出操作部の短移動設定のエアゾール態様から長移動設定のポンプ動作へと切り替えることができる。
【０００５】
本明細書では、ノズルの噴射孔部側を「前」と記し、それとは水平面上で１８０度反対側のアーム状部側を「後」と記す。図１〜図６の左側が「前」で右側が「後」となる。
【０００６】
また、必要に応じて、各図の上下方向を「縦」、この上下方向と直交する水平面上などの任意方向を「横」，「左右」とそれぞれ記す。
【背景技術】
【０００７】
従来、放出操作部の移動態様にともない、噴射用ガスに基づく短移動のエアゾール動作と、噴射用ガスの圧力低下後の上流弁および下流弁に基づく長移動のポンプ動作とが個々に実行可能な内容物放出機構は、すでに提案されている（特許文献１参照）。
【０００８】
この内容物放出機構の場合、利用者は、噴射用ガスの圧力が低下して内容物放出状態がいわば劣化したことを目視などにより確認した上で、エアゾール作動モードからポンプ作動モードに切り替えている。
【先行技術文献】
【特許文献】
【０００９】
【特許文献１】特開平２０１４−９１５２７号公報
【発明の概要】
【発明が解決しようとする課題】
【００１０】
このような従来の、噴射用ガスに基づくエアゾール動作と、噴射用ガスの圧力低下後のポンプ動作とを個々に実行可能な内容物放出機構におけるポンプ作動モードへの切換えは、もっぱら内容物放出状態についての利用者の目視結果などに依存する。
【００１１】
そのため利用者は、無意識に、また切換え操作の煩わしさなどもあって、噴射用ガスの圧力低下後もエアゾール動作のまま使い続けることがある。
【００１２】
すなわち、エアゾール動作において噴射用ガスの圧力が低下した状態でのポンプ動作への本来の切換えが結果として十全に行われずに、このポンプ動作の有効利用という点での利便性にかけるという問題点があった。
【００１３】
そこで、本発明では内容物放出機構の内容物通路に、噴射用ガスの圧力に応動し、当該圧力が低下した場合には当該内容物通路を閉状態に設定して外部空間域への内容物放出動作を止めるための終了弁を配設する。
【００１４】
すなわち、ミスユースなどにともなう噴射用ガスの圧力低下時のこの終了弁の閉動作によって、それまでの外部空間域への内容物放出状態が強制終了となり、利用者はこの内容物が急に放出されなくなるといった強制終了状態を簡単・確実に認識できる。
【００１５】
この噴射用ガスの圧力低下時における内容物放出状態の強制終了により、エアゾール作動モードからポンプ作動モードへの切換えタイミングの最適化を図り、この切換え機能を備えた内容物放出機構としての一層の利便化を図ることを目的とする。
【課題を解決するための手段】
【００１６】
本発明は、以上の課題を次のようにして解決する。
（１）内容物およびその噴射用ガスを収容した容器本体(例えば後述の容器本体12)に対する放出操作部(例えば後述のトリガレバー１)の移動にともない、短移動（例えば後述の短ストロークｄ１）のエアゾール動作と、前記噴射用ガスの圧力低下状態での上流弁（例えば後述のボール弁10）および下流弁（例えば後述の下流弁８）の関連動作に基づく長移動（例えば後述の長ストロークｄ２）のポンプ動作とを個々に実行可能な内容物放出機構において、
前記上流弁から外部空間域への内容物噴射孔部（例えば後述の噴射孔部２ｎ）へと続く内容物通路域（例えば後述のＬ字状通路部２ａ，直線状通路部２ｇ）と、
前記噴射用ガスの圧力に応動する形で前記内容物通路域に配設されて、前記エアゾール動作のとき開状態に設定され、かつ、前記圧力低下状態では閉状態に設定される終了弁作用部（例えば後述の流入口２ｋおよび終了弁３）と、
前記放出操作部が操作されない静止モードのとき前記下流弁を閉状態に設定するための弾性部材（例えば後述の縦コイルスプリング６ｊ）と、を備え、
前記終了弁作用部は、
前記圧力低下状態で前記閉状態に設定されることにより前記内容物噴射孔部から前記外部空間域への内容物放出動作を強制終了して、利用者に前記エアゾール動作のときの前記圧力低下状態を認識させ、
前記ポンプ動作のとき、前記上流弁と前記下流弁との間の貯留空間域（例えば後述の貯留空間域Ｓ）の内圧増加にともない開状態に設定される、
構成態様のものを用いる。
（２）上記（１）において、
前記終了弁作用部は、
前記内容物通路域の、前記下流弁からその下流側に続く流路部分に配設されている、
構成態様のものを用いる。
【００１７】
このような構成からなる内容物放出機構およびこの内容物放出機構を備えたエアゾール式製品を発明の対象としている。
【発明の効果】
【００１８】
本発明は、以上の構成をとることにより、エアゾール作動モードからポンプ作動モードへの切換えタイミングの最適化を図り、この切換え機能を備えた内容物放出機構としての一層の利便化を図ることができる。
【図面の簡単な説明】
【００１９】
【図１】内容物放出機構の静止モード（初期状態）を示す説明図である。
【図２】図１のステムからノズルまでの内容物通路域およびその中の終了弁などの部分を拡大した説明図である。
【図３】図１の内容物放出機構のエアゾール作動モードを示す説明図である。
【図４】図３のエアゾール作動モードにおける噴射用ガスの圧力が低下して終了弁が閉じたエアゾール動作終了状態を示す説明図である。
【図５】図４のエアゾール動作終了後にトリガレバーを長ストロークｄ２だけ回動操作したポンプ作動モードを示す説明図である。
【図６】図５のトリガレバーの回動操作を解除した後の図１の初期状態への復帰モードを示す説明図である。
【発明を実施するための形態】
【００２０】
図１〜図６を用いて本発明の実施するための最良の形態を説明する。
【００２１】
本発明の内容物放出機構は、本来のエアゾール作動に加え、噴射用ガス圧力が低下した場合のポンプ作動も実行できる、といったいわばハイブリッド作動を前提とする。
【００２２】
各図で用いるアルファベット付き参照番号の構成要素（例えば開口部１ａ）は原則として、この参照番号の数字部分の構成要素（例えばトリガレバー１）の一部であることを示している。
【００２３】
図１〜図６において、
１は内容物放出操作用の回動式の放出操作部としてのトリガレバー，
１ａはトリガレバー前面の上側部分およびこれに続く天面前部分に形成されて、後述のノズル２ｍ（通路部材２）の上下動を可能にするための開口部，
１ｂはトリガレバー後側の両側面に形成されて、後述のアーム状部４ａの軸部分４ｂとの係合作用によりトリガレバーの回動中心となる一対の孔部，
１ｃはトリガレバー前後方向中間の両側面に形成されて、それぞれトリガレバー１の回動操作に基づく後述の円柱状部２ｆへの押圧作用により通路部材２を下動させる一対の、下広がり下向きの例えば円弧状の駆動曲面，
１ｄは後述の誤操作防止部材５がロック位置のとき、この部材後側の横湾曲板状部５ｂの上端側に当接する態様で設けられたリブ状部，
をそれぞれ示している。
【００２４】
また、
２はトリガレバー１の回動操作により作動モード位置に下動するＬ字筒状の通路部材，
２ａは通路部材２の流入側を構成して、その下端側内周面が後述のステム上部６ａの上端側外周面と嵌合した筒状のＬ字状通路部，
２ｂはＬ字状通路部２ａの上流側縦部分，
２ｃはＬ字状通路部２ａの下流側横部分，
２ｄは上流側縦部分２ｂと下流側横部分２ｃとの境界域に形成された内容物通過用の上横孔部，
２ｅは上横孔部２ｄの回りに形成された環状平面部，
２ｆは通路部材外周面に形成されて、トリガレバー１の回動操作にともなう駆動曲面１ｃとの協働により通路部材２を下方向へ移動させる周知の円柱状部，
２ｇは通路部材２の流出側を構成して、その後側内周面が下流側横部分２ｃの外周面と嵌合した筒状の直線状通路部，
２ｈは直線状通路部２ｇの前側内周面からそれとの内外二重筒状部の態様で連続形成された内容物通過用の内側筒状部，
２ｊはこの内外二重筒状部の間に設定される横方向でいわば有底の横環状空間域，
２ｋは内側筒状部２ｈの後端側に形成された後広がり後向きの環状テーパ面の弁作用部からなる、終了弁作用部としての放出対象内容物の流入口，
２ｍは直線状通路部２ｇの横環状空間域２ｊに嵌合状態で取り付けられて、その内側筒状部２ｈとの連通経路を有するノズル，
２ｎはノズル２ｍに設定された内容物流出用の噴射孔部，
をそれぞれ示している。
【００２５】
また、
３は通路部材２の下流側横部分２ｃからその下流側の流入口２ｋにいたる内部空間域に配設されて、後述の容器本体12の噴射用ガスの圧力がエアゾール作動モードの略作動限界まで下がった場合に流入口２ｋをそれまでの開状態から閉状態にシフトさせる、すなわちエアゾール作動モードをトリガレバー１の操作状態はそのままでいわば自動的に強制終了させる、筒状の畜圧タイプでトリガレバーフリーの終了弁作用部としての終了弁，
３ａは終了弁３の縦断面中央を通る長手横方向に形成された横中央胴部，
３ｂは横中央胴部３ａの外周面横方向に形成されて、内容物通過用を呈する計３個の横方向溝状部，
３ｃは横中央胴部３ａの前端中央部分に形成された弁作用部であって、噴射用ガスの圧力の大きさにより、流入口２ｋとの対向状態の当接・離間位置にシフトする後広がり前向きの弁作用上環状テーパ面，
３ｄは横中央胴部３ａの前外側部分に連続形成されて、直線状通路部２ｇの前側内周面と密接してシール作用を呈する後向きスカート状部，
３ｅは横中央胴部３ａの後方外側部分に連続形成されて、Ｌ字状通路部２ａの下流側横部分２ｃの内周面と密接してシール作用を呈する前向きスカート状部，
３ｆは横中央胴部３ａの後端側に、横方向溝状部３ｂを飛び飛びに含む態様で形成された環状段部，
３ｇはこの環状段部３ｆとＬ字状通路部２ａの環状平面部２ｅとの間に配設されて、終了弁３の全体を前方向に付勢し、これにより静止モードや、エアゾール作動モードで噴射用ガスの圧力が低下した場合に、内側筒状部２ｈの流入口２ｋを終了弁３で閉状態に設定するための横コイルスプリング，
をそれぞれ示している。
【００２６】
また、
４は後述のハウジング７と一体化して、通路部材２や、自内部に配設された後述のステム上部６ａを案内保護し、かつ、トリガレバー１の取付け基部として作用するカバー体，
４ａはカバー体４の上端側小径部分から後方に延びる形のアーム状部，
４ｂはアーム状部の４ａの上端側外面に形成されてトリガレバー１の孔部１ｂに入り込んだ状態で使用され、トリガレバー１の回動中心軸として作用する一対の軸部分，
４ｃはアーム状部４ａの下端側であって、後述のステム上部６ａの上下動の案内作用を呈する二重筒状部，
４ｄは二重筒状部４ｃの外下端部分から連続形成された環天井部付きの大径筒状部，
４ｅは大径筒状部４ｄの内上端側であって凹状側面からなり、後述の環鍔状部７ａを保持する環天井部，
４ｆは大径筒状部４ｄの内周面に連続形成されて、後述の容器本体12の外周面ネジ部12ｂと螺合するスパイラル状の内周面ネジ部，
をそれぞれ示している。
【００２７】
また、
５はカバー体４の上側小径部分に上下動せずに回動可能な形で取り付けられて、その回動位置に応じて通路部材２の下動を阻止する、すなわち作動モード設定操作を不可とする周知の誤操作防止部材，
５ａは誤操作防止部材５の回動操作用のつまみ，
５ｂはつまみ５ａとは反対側に設けられた横湾曲板状部，
をそれぞれ示している。
【００２８】
また、
６は通路部材２に取り付けられて、トリガレバー１との連動により後述の下流弁８との間で弁作用を呈し、内容物が通過するステム（ステム上部６ａ＋ステム下部６ｆ），
６ａは通路部材２の下端側開口部に嵌合した筒状のステム上部，
６ｂはステム上部６ａの上端側部分に形成された内容物通路としての小径通路部，
６ｃは小径通路部６ｂの下端部分からその下方の中径内周面の径・上下方向に形成された内容物通路としての複数のＬ字溝状部，
６ｄはＬ字溝状部６ｃの下側に連続形成された大径内周面，
６ｅは大径内周面６ｄの上端部分の表側外周面に形成されて、後述のストッパブッシュ９のステム用環状テーパ面９ａとの離間対向状態に設定される下広がり上向きの下環状テーパ面，
６ｆはＬ字溝状部６ｃの設定範囲でこの溝状部が形成されていない相対的凸部分に嵌合した鞘状のステム下部，
６ｇはステム下部６ｆの下端側鍔状部の上面部分に形成されて、後述の下流弁８との間で弁作用を呈する上向き環凹状部，
６ｈはステム下部６ｆの底面部分に形成されて後述の縦コイルスプリング６ｊの上端側を保持する下向き受け凹状部，
６ｊは後述のボール弁10よりも上方のハウジング底面部分とステム下部６ｆの下向き受け凹状部６ｈとの間に配設されて、ステム６およびこれと一体の通路部材２を上方向に付勢する弾性部材としての縦コイルスプリング，
をそれぞれ示している。
【００２９】
また、
７はその内部空間域に、ステム６，縦コイルスプリング６ｊや後述の下流弁８，ストッパブッシュ９およびボール弁10などを収容して配設する筒状のハウジング，
７ａはハウジング７の上端部分に形成されて、大径筒状部４ｄの上端側の凹状側面からなる環天井部４ｅに嵌合保持された環鍔状部，
７ｂは環鍔状部７ａの下面との密接状態でハウジング７の外周面上端部分に係合保持されたシール作動用の環状パッキン，
７ｃはハウジング７の上側周面部に形成されて、ポンプ作動時の容器本体内部の減圧を防止するための外気取込み用の下横孔部，
７ｆはハウジング７の下端側内周面に形成されて、後述のボール弁10を受ける上流弁作用部としての上広がり上向きの弁作用下環状テーパ面，
をそれぞれ示している。
【００３０】
また、
８はステム上部６ａの大径内周面６ｄおよびハウジング７の上側内周面に密接しながら上下動して、ステム下部６ｆの上向き環凹状部６ｇとの間で弁作用を呈し、かつ、図３の静止モードおよび図４のエアゾール作動モードにおいて下横孔部７ｃを閉塞する、すなわちこの下横孔部と外部空間域との間を非連通状態に設定する弁部材としての下流弁，
８ａは後述のストッパブッシュ９との係止作用により下流弁８の上死点位置を設定し、かつ静止モードおよびエアゾール作動モードのときはハウジング７の下横孔部７ｃより上方の内周面に密接し、ポンプ作動モードのときは下横孔部７ｃより下方の内周面に密接する上外側逆スカート状部，
８ｂは常時、ハウジング７の下横孔部７ｃより下方の内周面に密接する下外側スカート状部，
８ｃは常時、ステム上部６ａの大径内周面６ｄと密接する上内側逆スカート状部，
８ｄは上内側逆スカート状部８ｃの下方に連続形成されて、ステム下部６ｆの上向き環凹状部６ｇとの間で弁作用を呈する上広がりの環状弁作用部，
をそれぞれ示している。
【００３１】
また、
９はハウジング７の内周面の上端側部分に嵌合状態で取り付けられて、下流弁８の上死点位置を、その上外側逆スカート状部８ａとの係止作用により設定する筒状のストッパブッシュ，
９ａはストッパブッシュ９の内周面上端側に、ステム上部６ａの下環状テーパ面６ｅと離間対向する態様で形成された下広がり下向きのステム用環状テーパ面，
９ｂはストッパブッシュ９の下端面からなり、下流弁８を、その上外側逆スカート状部８ａとの係止作用により上死点位置に設定する上広がり下向きの下流弁用環状テーパ面，
をそれぞれ示している。
【００３２】
また、
10はハウジング７の弁作用下環状テーパ面７ｆに保持されて、その下側から上方への圧力全体が、上側から下方への圧力全体および自重よりも大きくなったときに上動して開状態となる上流弁としてのボール弁，
11はハウジング７の下端側内周面に取り付けられた内容物流入用のチューブ，
12は後述の各種の内容物およびその噴射用ガスが収容される容器本体，
12ａは容器本体の小径部分からなる上端側の開口筒状部，
12ｂは開口筒状部12ａの外周面に連続形成されて、カバー体４の内周面ネジ部４ｆと螺合するスパイラル状の外周面ネジ部，
をそれぞれ示している。
【００３３】
また、
Ｓは上流弁のボール弁10と下流弁８との間に設定され、ポンプ作動操作の終了にともないこのボール弁から容器本体12の内容物が次回放出対象として流入する、ハウジング７の内部空間域としての貯留空間域，
ｄ１はエアゾール作動用のトリガレバー回動操作のストローク(図４参照)，
ｄ２はポンプ作動用のトリガレバー回動操作のストローク(図５参照)，
ｆ１はポンプ作動モードにおける外部空間域への内容物放出経路(図５参照)，
ｆ２は図５のポンプ作動モードの終了段階における貯留空間域Ｓへの内容物貯留経路(図６参照)，
ｆ３は図５のポンプ作動モードの終了段階における容器本体12への減圧防止用外気流入経路(図６参照)，
をそれぞれ示している。
【００３４】
以上の各構成要素の中、トリガレバー１，通路部材２，終了弁３，カバー体４，誤操作防止部材５，ステム６，下流弁８，ストッパブッシュ９およびチューブ11はプラスチック製のもので、例えばポリプロピレン，ポリエチレン，ポリアセタール，ナイロン，ポリブチレンテレフタレートなどからなる
【００３５】
横コイルスプリング３ｇ，縦コイルスプリング６ｊ，ハウジング７，ボール弁10および容器本体12はプラスチック製または金属製のものであり、環状パッキン７ｂはゴム製またはプラスチック製のものである。
【００３６】
図示の内容物放出機構は、このようにトリガレバー１の移動態様にともない噴射用ガスに基づく短移動のエアゾール動作と、噴射用ガスの圧力低下後の上流弁（ボール弁）および下流弁に基づく長移動のポンプ動作と、を個々に実行しえる放出機構である。
【００３７】
その基本的特徴は、下記(13)に示すごとく、内容物放出機構本来のエアゾール作動モードで噴射用ガスの圧力低下により十全な放出状態が担保されない場合に、内容物放出通路の一部（例えば通路部材２）をオフにするための、終了弁３を配設したことである。
【００３８】
図示の内容物放出機構は、チューブ11から噴射孔部２ｎまでの内容物流路に順次配設されたボール弁10，下流弁８および終了弁３に関し、
(11)図１および図２の、トリガレバー１を回動操作していない静止モードでは、ボール弁10，下流弁８および終了弁３がすべて閉状態に設定され、
(12)図３の、トリガレバー１を短ストロークｄ１だけ回動操作したエアゾール作動モードの安定状態では、ボール弁10，下流弁８および終了弁３がすべて開状態に設定され、
(13)図４の、エアゾール作動モードの噴射用ガスの圧力が低下した不安定状態では、少なくとも終了弁３が閉状態に設定され、
(14)図５の、トリガレバー１を長いストロークｄ２にわたってさらに回動操作したポンプ作動モードでは、ボール弁10が閉状態に設定され、下流弁８および終了弁３が開状態に設定され、
(15)図６の、ポンプ作動モード終了後の上方へのステム復帰段階では、ボール弁10が開状態に設定され、下流弁８および終了弁３が閉状態に設定される、
ことである。
【００３９】
このように図３のエアゾール作動モードで噴射用ガス圧力が低下すると、終了弁３が、横コイルスプリング３ｇの弾性作用により内側筒状部２ｈの流入口２ｋを閉じてそれまでの噴射孔部２ｎからの内容物放出状態を終了させる（図４参照）。
【００４０】
利用者は、この内容物放出終了により噴射用ガス圧力の低下を明確に認識し、すなわちエアゾール作動が不安定であることを把握することができる。
【００４１】
そしてこの後、噴射孔部２ｎから外部空間域への内容物放出を可とするためには、利用者がトリガレバー１を長ストロークｄ２の回動状態(図５参照)に設定すればよい。
【００４２】
このトリガレバー１が長ストロークｄ２の回動位置にシフトした図５の下流弁８およびボール弁（上流弁）10などの動作は、周知の蓄圧タイプのポンプ放出機構のそれと同じである。
【００４３】
すなわち、トリガレバー１の回動操作にともなうステム６の下方シフトにより貯留空間域Ｓの容積が減少してそこでの内圧が増加し、この内圧増加によりボール弁10が閉じて、下流弁８の環状弁作用部８ｄがステム下部６ｆの上向き環凹状部６ｇから離間する。
【００４４】
また、このとき終了弁３も、その弁作用上環状テーパ面３ｃが図３のエアゾール作動モードと同様に内側筒状部２ｈの流入口２ｋから離間する。
【００４５】
この下流弁８および終了弁３の離間状態へのシフトにより、貯留空間域Ｓの収容内容物が、ポンプ作動モードの形で下流弁８，ステム６，通路部材２を経てノズル２ｍの噴射孔部２ｎから外部空間域に放出される。
【００４６】
以下、図１，図２の静止モード，図３，図４のエアゾール作動モード，図５のポンプ作動モード、および図６のポンプ作動後の復帰モードなどについて順次説明する。
【００４７】
図１およびその一部を拡大した図２は、トリガレバー１がその初期位置のままで回動操作されていない静止モードを示している。
【００４８】
図１，図２の静止モードでは、
(21)通路部材２，ノズル２ｍおよびステム６の一体物ならびにこれらとリンクしたトリガレバー１および下流弁８が縦コイルスプリング６ｊの弾性作用により最上位置に設定されて、
(22)縦コイルスプリング６ｊの上方向への弾性力によりステム下部６ｆの上向き環凹状部６ｇと下流弁８の環状弁作用部８ｄとが密接し、
(23)この密接作用にともない噴射用ガスの圧力を受けない終了弁３の弁作用上環状テーパ面３ｃが、横コイルスプリング３ｇの前方向への弾性力により内側筒状部２ｈの流入口２ｋに密接し、
(24)ボール弁10が閉状態に設定され、
(25)ステム上部６ａの下端部分が下流弁８の上面環凹状部からその上方向に離間し、
(26)ハウジング７の下横孔部７ｃは、その内側が下流弁８で閉じられて外部空間域と連通しない、
状態に設定されている。
【００４９】
図１，図２の静止モードのトリガレバー１を図３〜図５の矢印方向に引き操作すると、通路部材２およびステム６が、トリガレバー１の駆動曲面１ｃと通路部材２の円柱状部２ｆとの当接変位作用により縦コイルスプリング６ｊの弾性力に抗しながら下動する。
【００５０】
そして利用者が引き操作を止めると、トリガレバー１，通路部材２およびステム６が縦コイルスプリング６ｊの上方への弾性力に基づいてそれぞれの初期状態の静止モード位置へ復帰する。
【００５１】
図示の内容物放出機構は、トリガレバー１への回動操作を選択的に阻止・許容する周知の誤操作防止部材５（例えば特開2010−253443号公報）を備えている。図１，図２の静止モードではこの誤操作防止部材が回動操作阻止のロック位置に設定されている。
【００５２】
図３〜図６は、それぞれ図１の静止モードの誤操作防止部材５のつまみ５ａを略９０度回動させたロック解除位置にしてからトリガレバー１を引いたときの、エアゾール作動モードおよびポンプ作動モードなどを示している。
【００５３】
図３は、ロック解除位置のトリガレバー１を図示反時計方向にストロークｄ１ほど移動させたエアゾール作動モードを示している。
【００５４】
静止モードからエアゾール作動モードへの移行に際しては、周知のごとく、
(31)通路部材２およびこれと一体のステム６が縦コイルスプリング６ｊの弾性力に抗しながら下方に移動し、
(32)この移動のとき、下流弁８は噴射用ガスの上方への圧力作用で図１，図２の静止モード位置にとどまり、その環状弁作用部８ｄがステム下部６ｆの上向き環凹状部６ｇから離間して、下流弁作用部がそれまでの「閉」状態から「開」状態に変化し、
(33)同じくボール弁10が、噴射用ガスの圧力作用によりハウジング７の弁作用下環状テーパ面７ｆから上動離間し、縦コイルスプリング６ｊの下端部分に当接した状態へとシフトして、上流弁作用部もそれまでの「閉」状態から「開」状態に変化する。
【００５５】
なお、エアゾール作動の引き操作の場合、トリガレバー１のストロークｄ１が小さくて、ハウジング７の外気取込み用の下横孔部７ｃは、静止モードと同じく下流弁８の上外側逆スカート状部８ａおよび下外側スカート状部８ｂで外部空間域から隔離されている。
【００５６】
また、図３のエアゾール作動モードの終了弁３は、
(41)その前面側が後面側に比べて広い受圧面部分を持ち、噴射用ガスの（前方への圧力よりも）大きな後方への圧力を受けることにより、横コイルスプリング３ｇの弾性力に抗しながら後退し、
(42)この後退作用でそれまでの流入口２ｋとの密接状態を解消し、容器本体12の収容内容物を噴射用ガスの作用で噴射孔部２ｎから外部空間域に放出させる機能を有している。
【００５７】
なお、終了弁３の前面側の広い受圧面部分は後向きスカート状部３ｄの円周状前端縁から横中央胴部３ａを除いた縦断面環状部分に対応し、後面側の狭い受圧面部分は前向きスカート状部３ｅの円周状後端縁の縦断面内部全体に対応する。
【００５８】
この後向きスカート状部３ｄの環状部分と、前向きスカート状部３ｅの内部全体とのいわば縦断面の差分面積に対する後方向への噴射用ガスの全圧力が、横コイルスプリング３ｇの前方向への弾性力に勝るとき、静止モード位置の終了弁３が後方に移動する。なお、この「差分面積」は終了弁３の形状によって一意に決まる大きさの面積である。
【００５９】
図３のエアゾール作動モードのとき、容器本体12の内容物が、噴射用ガスの作用により概略「チューブ11−ボール弁10−貯留空間域Ｓ−下流弁８−Ｌ字溝状部６ｃ−小径通路部６ｂ−Ｌ字状通路部２ａ−終了弁３−噴射孔部２ｎ」の内容物通路域を経て外部に放出される。
【００６０】
図４は、図３のエアゾール作動モードでの噴射用ガスの圧力が低下した場合の終了弁３の動作状態を示している。
【００６１】
内容物放出機構のミスユースや繰返し使用などにより容器本体12の噴射用ガスの圧力が低下してくると、下流弁８およびボール弁10それぞれの十分な押し上げ動作も担保されず、噴射用ガスの圧力作用による良好な内容物放出動作を期待できない。
【００６２】
本発明の内容物放出機構のエアゾール作動モードにおける噴射用ガスの圧力が低下したときは、流入口２ｋに対する終了弁３の閉作用により内容物通路部をいわば遮断し、噴射孔部２ｎから外部空間域への内容物放出を終了するようにしている。
【００６３】
利用者は、この内容物放出終了により噴射用ガス圧力の低下を明確に認識し、すなわちエアゾール作動が不安定であることを把握することができる。
【００６４】
ここで、図３のエアゾール作動モードでは、上述の静止モードからエアゾール作動モードへの移行初期のときと違って、終了弁３の前面側の広い受圧面部分には後向きスカート状部３ｄの円周状前端縁の縦断面内部全体が対応する。
【００６５】
噴射用ガスの圧力低下により、後向きスカート状部３ｄおよび前向きスカート状部３ｅそれぞれの内部全体の縦断面の差分面積に対する後方向への全圧力が小さくなって横コイルスプリング３ｇの前方向への弾性力が勝るとき、終了弁３は閉状態に設定される。すなわち図３のエアゾール作動モードが終了する。
【００６６】
図５は、このような噴射用ガス圧低下にともない十分なエアゾール作動が実行されない場合に、図３のトリガレバー１をエアゾール作動操作よりも大きなストロークｄ２だけ引き操作した状態、すなわちポンプ作動モードを示している。
【００６７】
なお、ストロークｄ２の広範囲にわたりトリガレバー１を回動操作できるのは容器本体12の噴射用ガスの圧力が低下しているからである。
【００６８】
図５のポンプ作動モードへの移行時、トリガレバー１に対する長ストロークｄ２の引き操作とリンクしたステム６の下動にともない、
(51)下流弁８も、ステム６とともに閉状態のまま下方へ移動開始し、
(52)この移動にともない、貯留空間域Ｓの容積が減少してそこでの内圧が高まって上流弁のボール弁10は強制閉状態に保持されるとともに、閉状態の下流弁８が上方への圧力を受けることによりステム６に対して上動し、
また、Ｌ字状通路部２ａなどでの内圧の高まりにより、図３のエアゾール動作のときと同じように終了弁３が下流側横部分２ｃの前端部分に当たるまで後退して、その弁作用相手の流入口２ｋから離間し、
(53)上動した下流弁８は、その上面中央の環凹状部がステム上部６ａの下端部分に当接して、ステム下部６ｆの弁作用部の上向き環凹状部６ｇから離間した開状態に保持され、
(54)内圧が高まった貯留空間域Ｓの収容済み内容物は、「開状態の下流弁８−Ｌ字溝状部６ｃ−小径通路部６ｂ−Ｌ字状通路部２ａ−終了弁３−ノズル２ｍ」の内容物放出経路ｆ１によりノズル２ｍの噴射孔部２ｎから外部空間域に放出される。
【００６９】
上記(52)の下流弁８の上動は、貯留空間域Ｓの内容物が気体を多く含むときは当該内容物が圧縮されやすく内圧の高まりが緩やかなので、ハウジング７と下流弁８との間の摺動抵抗による上方への付勢力も、下流弁８のステム６に対する上動を助けている。
【００７０】
このように図５のポンプ作動モードでは、貯留空間域Ｓに収容済みの内容物がその放出経路ｆ１を通って外部空間域に流出する。
【００７１】
また、通常のポンプ動作と同じように、内容物の外部空間域への放出にともなう貯留空間域Ｓの内圧低下により、下流弁８が閉じる。このとき終了弁３も閉じる。
【００７２】
図６は、利用者が図５のポンプ作動用のトリガレバー引き操作を解除したときの復帰モードを示している。
【００７３】
なお、図５のトリガレバー１の引き操作最終段階の下流弁８は、その上外側逆スカート状部８ａがハウジング７の下横孔部７ｃより下方部分に位置している。
【００７４】
利用者が図５のポンプ作動モードのトリガレバー引き操作を解除すると、
(61)通路部材２，ノズル２ｍおよびステム６の一体物ならびにこれらとリンクしたトリガレバー１および下流弁８が、縦コイルスプリング６ｊの上方への弾性作用によりそれぞれの静止モード位置に復帰し、
(62)この静止モード位置への復帰にともない貯留空間域Ｓの容積が増加してそこでの内圧が容器本体内部よりも低下し、
(63)この内圧低下により上流弁のボール弁10が開き、すなわちボール弁10がハウジング７の弁作用下環状テーパ面７ｆから上動離間して、容器本体12の内容物が、チューブ11から貯留空間域Ｓへと内容物貯留経路ｆ２を通って流入し、
(64)この内容物流入にともなう容器本体12の内部減圧を防止するための外気が外気流入経路ｆ３により下横孔部７ｃから容器本体内部へ供給される。
【００７５】
上記(63)でハウジング７の貯留空間域Ｓに流入した内容物が、次回のトリガレバーのポンプ動作引き操作時の外部空間域への放出対象内容物となる。
【００７６】
外気流入経路ｆ３は、概略「通路部材２の外周面と誤操作防止部材５・二重筒状部４ｃの各内周面との間−ステム上部６ａの外周面とストッパブッシュ９・ハウジング７の各内周面との間−下横孔部７ｃ−容器本体12」の形に設定される。
【００７７】
すなわち、下流弁８が上動して下横孔部７ｃを閉じるまでの間、容器本体減圧防止用の外気流入経路ｆ３が確保される。
【００７８】
この容器本体内部への減圧防止用の外気流入動作は、図５のトリガレバー１の引き操作時において、前回の内容物放出操作解除時の外気流入量不足のため容器本体内部が外部空間域に対し負圧状態のまま、といった場合にも生じる。
【００７９】
本発明が以上の実施形態に限定されないこと勿論であり、例えば、
(71)終了弁３およびこれによって開閉される流入口２ｋの弁機構を、ボール弁10とノズル２ｍとの間の内容物通路部の任意の箇所に配設する、
(72)トリガレバー１に代えて押圧タイプの操作部を用いる、
(73)カバー体４の大径筒状部４ｄと容器本体12の開口筒状部12ａとを、図示の螺合作用ではなく嵌合作用により結合する、
ようにしてもよい。
【００８０】
本発明が適用される製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，栄養補助食品（ビタミンなど）医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００８１】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００８２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロースおよびこれらの混合物などを用いる。
【００８３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００８４】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００８５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００８６】
高分子化合物としては、メチルセルロース，ゼラチン，デンプン，カゼイン，ヒドロキシエチルセルロース，キサンタンガム，カルボキシビニルポリマーなどを用いる。
【００８７】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００８８】
さらに、上記内容物以外の、懸濁剤，紫外線吸収剤，乳化剤，保湿剤，酸化防止剤、金属イオン封鎖剤なども用いることができる。
【００８９】
エアゾール式製品における噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００９０】
１：トリガレバー
１ａ：開口部
１ｂ：一対の孔部
１ｃ：駆動曲面
１ｄ：リブ状部
【００９１】
２：通路部材（Ｌ字状通路部２ａ＋直線状通路部２ｇ＋ノズル２ｍ）
２ａ：Ｌ字状通路部
２ｂ：Ｌ字状通路部の上流側縦部分
２ｃ：Ｌ字状通路部の下流側横部分
２ｄ：上横孔部
２ｅ：環状平面部
２ｆ：円柱状部
２ｇ：直線状通路部
２ｈ：内側筒状部
２ｊ：横環状空間域
２ｋ：流入口
２ｍ：ノズル
２ｎ：噴射孔部
【００９２】
３：終了弁
３ａ：横中央胴部
３ｂ：横方向溝状部
３ｃ：弁作用上環状テーパ面
３ｄ：後向きスカート状部
３ｅ：前向きスカート状部
３ｆ：環状段部
３ｇ：横コイルスプリング
【００９３】
４：カバー体
４ａ：アーム状部
４ｂ：軸部分
４ｃ：二重筒状部
４ｄ：大径筒状部
４ｅ：環天井部
４ｆ：内周面ネジ部
【００９４】
５：誤操作防止部材
５ａ：つまみ
５ｂ：横湾曲板状部
【００９５】
６：ステム（ステム上部６ａ＋ステム下部６ｆ）
６ａ：ステム上部
６ｂ：小径通路部
６ｃ：Ｌ字溝状部
６ｄ：大径内周面
６ｅ：下環状テーパ面
６ｆ：ステム下部
６ｇ：上向き環凹状部
６ｈ：下向き受け凹状部
６ｊ：縦コイルスプリング
【００９６】
７：ハウジング
７ａ：環鍔状部
７ｂ：環状パッキン
７ｃ：下横孔部
７ｆ：弁作用下環状テーパ面
【００９７】
８：下流弁
８ａ：上外側逆スカート状部
８ｂ：下外側スカート状部
８ｃ：上内側逆スカート状部
８ｄ：環状弁作用部
【００９８】
９：ストッパブッシュ
９ａ：ステム用環状テーパ面
９ｂ：下流弁用環状テーパ面
【００９９】
10：ボール弁
11：チューブ
12：容器本体
12ａ：開口筒状部
12ｂ：外周面ネジ部
【０１００】
Ｓ：貯留空間域
ｄ１：トリガレバー回動操作の短ストローク(図４参照)
ｄ２：トリガレバー回動操作の長ストローク(図５参照)
ｆ１：内容物放出経路（図５参照）
ｆ２：内容物貯留経路（図６参照）
ｆ３：外気流入経路（図６参照）
【図１】
0006679288.tif 000002
【図２】
0006679288.tif 000003
【図３】
0006679288.tif 000004
【図４】
0006679288.tif 000005
【図５】
0006679288.tif 000006
【図６】
0006679288.tif 000007